(57)【要約】　　　（修正有）【課題】天井部材等をワイヤ―を用いて天井スラブから吊り下げ固定する方法及び装置を提供する。【解決手段】天井スラブ側金具８の一面にワイヤ７の一端部を適宜手段で固定すると共に、予め高さ位置調節を行った天井部材１５のメインバー１６（Ｔバー）の上側適所に係合させたクランプ部材１の上側クランプ部にワイヤ７の他端部を巻きつけ位置決めすると共に、クランプ部に設けた固定手段により、ワイヤ７の他端部の末端をクランプ部材１に対して固定する。【選択図】　　　　図１
2004143798.tif 000002
【特許請求の範囲】
【請求項１】
天井スラブ側金具の一面にワイヤの一端部を適宜手段で固定すると共に、天井部材のメインバー（Ｔバー）の上側適所に係合させたクランプ部材のクランプ部に前記ワイヤの他端部を当接させ、高さ位置調節を行った後に該クランプ部に設けた固定手段により、前記ワイヤの他端部の末端をクランプ部材に対して固定するようにした、天井部材とワイヤ固定金具による天井吊り固定方法。
【請求項２】
ワイヤの一端部を固定した天井スラブ側金具と、該金具から垂下させたワイヤと、天井部材のメインバー（Ｔバー）の上側適所に係合させたクランプ部材とからなり、該クランプ部材の上側クランプ部に前記ワイヤの他端部を位置決めする手段と、前記ワイヤの他端部の末端を固定させる固定手段とを具える、天井部材とワイヤ固定金具による天井吊り固定装置。
【請求項３】
クランプ部材は互いに重ね合わせた２枚の天井部材支持用縦長板体と１枚又は複数枚のワイヤ位置決め及び固定用短板体と、夫々の板を重ね合わせ縦長板体間には天井部材の上縁部を挟持すると共に縦長板体と短板体との間にワイヤを挟み位置決め固定するための押しネジとからなる、請求項２に記載の天井吊り固定装置。
【請求項４】
クランプ部材の２枚の天井部材支持用縦長板体の一方又は両方の下端部に互いに内側に向く溝部が設けられ、前記天井部材のメインバー（Ｔバー）の上側縁部を把持し係合する、請求項２又は３に記載の天井吊り固定装置。
【請求項５】
クランプ部材の下部は開閉できるバネ状体からなり、下側に降ろして天井部材のメインバーと係合する巻帯をクランプ部材を囲むように設けた、請求項４に記載の天井吊り固定装置。
【発明の詳細な説明】
【０００１】
【産業上の利用分野】
この発明は、天井部材等をワイヤ―を用いて天井スラブから吊り下げ固定する方法及び装置に関する。
【０００２】
【従来の技術】
従来コンクリート建造物において天井スラブから天井パネル、照明器具、空調機器、防災機器、天井点検口等を含む天井部材を吊り下げ固定する、システム天井が広く用いられている。このシステム天井の吊り下げ方式としては、例えば特開平８−６８１５４号公報に示すように、天井裏に設けた梁材と天井パネル上のＨバーとの間に板状のハンガーを配置するもの、又は特開平７−１６６６３４号公報に示すように、照明器具、空調機器、防災機器等を含む天井グリッドを枠体で囲むと共に、この枠体を天井スラブから棒体で吊り下げ固定する方法が行われている。そしてこれら天井部材を比較的広範囲に亘って均一高さに保つために、例えば登録実用新案第３０１６２４４号に示すように、天井部材のクリットを金属板からなるハンガーで吊り下げ、このハンガーの上端折曲部を天井スラブから吊り下げた吊りボルトのナット部に嵌込むようにしたものが知られている。
【０００３】
【特許文献１】
特開平８−６８１５４号公報
【特許文献２】
特開平７−１６６６３４号公報
【特許文献３】
登録実用新案第３０１６２４４号
【０００４】
【発明が解決しようとする課題】
近年商用ビル等において、テナントの交代等に伴う改装作業が益々頻繁に行われるようになり、天井パネルの種類及びその寸法も、施主の要望により迅速に取り替えることが要求されている。これに対し従来のシステム天井は、既述したように専用の吊り下げ金具を用いるために、その施工は複雑であり、またレベル調整にボルト、ナット方式またはターンバックル方式を用いるために、システム天井自体が重くなり、また複雑且つ高価な部品を用いるので、施工費用がかさむとともに、施工自体が複雑であり、従って短期間の交換は不経済でもあった。
【０００５】
近年、例えば登録実用新案第３０３８４２号に示すように、ワイヤ部材を用い、ワイヤの下端の折り曲げ部を天井グリッドに設けた穴に挿通することによって天井グリッドを吊り下げることが行われている。しかしながら、例えば天井スラブに固定させた金具の穴と天井部材の主要枠材（Ｔバー）の側壁に設けた穴の間にワイヤを挿通し、夫々のワイヤ端部をワイヤ本体に巻き付け又は圧着スリーブやソケット等で固定する場合、天井金具と枠材の穴の位置がずれたりして両者の間の距離が一定でなく、従って天井部材のレベル調整が困難であった。また、ワイヤ端部の巻きつけが緩んだりして、重量のある天井部材には不向きであり、長期の安定的な吊り下げ保持には適さなかった。この発明は、吊り下げや巻き付けのための穴を用いないで、ワイヤを吊り金具に締着することによって、施工が簡単で且つ長期間の使用に耐える、天井部材等の吊り下げ固定方法及び装置を創出することを目的とする。
【０００６】
【課題を解決するための手段】
この発明は、天井スラブ側金具の一面にワイヤの一端部を適宜手段で固定すると共に、天井部材のメインバー（Ｔバー）の上側適所に係合させたクランプ部材のクランプ部に前記ワイヤの他端部を当接させ、高さ位置調節を行った後に該クランプ部に設けた固定手段により、前記ワイヤの他端部の末端をクランプ部材に対して固定するようにした、天井部材とワイヤ固定金具による天井吊り固定方法を得るものである。
【０００７】
またこの発明は、ワイヤの一端部を垂直面に固定した天井スラブ側Ｌ型金具と、該金具から垂下させたワイヤと、天井部材のメインバー（Ｔバー）の上側適所に係合させたクランプ部材とからなり、該クランプ部材の上側クランプ部に前記ワイヤの他端部を当接させ位置決めする手段と、前記ワイヤの多端部の末端を固定させる固定手段とを具える天井吊り固定装置とを得るものである。
【０００８】
クランプ部材は互いに重ね合わせた２枚の天井部材支持用縦長板体と１枚又は複数枚のワイヤ位置決め及び固定用短板体と、夫々の板を重ね合わせ縦長板体間には天井部材の上縁部を挟持すると共に縦長板体と短板体との間にワイヤを挟み位置決め固定するための押しネジとからなる。２枚の天井部材支持用縦長板体の一方又は両方の下端部には、互いに内側に向く溝部が設けられ、前記天井部材のメインバー（Ｔバー）の上側縁部を把持する。またクランプ部材の上側には前記天井部材支持用縦長板体の外側に重なるように１枚又は複数枚のワイヤ位置決め及び固定用短板体が配置され、夫々の板を重ね合わせ縦長板体間には天井部材の上縁部を挟持すると共に縦長板体と短板体との間にワイヤを挟み位置決め固定し、ワイヤセッテング用ネジ、ワイヤ端末処理用ネジからなる少なくとも２個の押しネジによって縦長板体と短板体とワイヤの他端部とを緊締する。夫々の板体には複数のネジ穴が縦列又は横列に設けられ、そのネジ穴に、ワイヤセッテング用ネジ、ワイヤ端末処理用ネジがねじ込まれる。
【０００９】
クランプ部材の一実施例として、上方の平行な縦長板体と短板体との間に側方からワイヤの他端部より少し上側を挟み、前記板体の下側に設けたワイヤセッテング用ネジの胴部及び短板体の下端縁部によってワイヤを屈曲させその他端部を２枚の板体の側方反対側に持ち上げＵ字状に形成する。そして最終的にワイヤ屈曲部がワイヤセッテング用ネジ及び短板体下縁部に当接され、その他端部がワイヤ端末処理用ネジに当接された後、クランプ部材とそれが支持している天井部材の高さ調節を行い、クランプ部材の位置決めをした後、両方のネジをしめてワイヤをクランプ部材の縦長板体と短板体との間に挟み込み固定させる。
【００１０】
この発明の一実施例では、クランプ部材の上側のネジ穴に、ワイヤセッテング用ネジ、ワイヤ端末処理用ネジがねじ込まれると、部材の下部に係合された天井部材のメインバー（Ｔバー）も同時に緊締される。この発明の他の実施例として、クランプ部材の下部は上側のネジによる緊締と関係無くバネ状に開閉できるようになっており、例えばクランプ部材を囲む巻帯を下側に降ろした時に天井部材のメインバーと係合することができる。この構成によりレベル調節や天井部材取外し等の作業がより便利になる。また、クランプ部材と天井部材のメインバーとの間に、ネジ等による高低位置微調整手段を設ける等、種々の変形実施例が考えられるが、これらについては、後に述べる実施例の項で詳述する。
【００１１】
この発明のワイヤ吊り下げ施工法に用いる、天井スラブ側金具と、その金具の一面にワイヤの一端部を固定するには、種々の実施態様がある。最も一般的な実施例としては、天井スラブ面に対向して、鋲打ち等でこの天井スラブ面に固定される穴付き水平リブ部と、この一端を折り曲げ形成し、ワイヤの一端部を溶接又はカシメ等で固定する垂直リブ部とを備えるＬ字形金具がある。その他、前述したクランプ部と類似するネジ及びクランプ板によりワイヤの一端部を固定する垂直リブ部を持つ金具、天井スラブ面内に打ち込み固定するコーン状係止具からなるもの等、種々の変形実施例があるが、これらについても、後に述べる実施例の項で詳述する。
【００１２】
【発明の効果】
この発明は以上のように構成したので、ワイヤ部材を用いてシステム天井の天井部材を吊り下げる場合に、天井金具と枠材の穴の位置がずれたりして両者の間の距離が不安定になることはなく、従って天井部材のレベル調整が容易に行える。この場合，天井から吊持したワイヤの先端をＵ字状に折り曲げて天井部材を仮置きした後、レベル調節し、最終的にクランプ部材のネジによりワイヤと天井部材の連結固定をすることができるので、作業上便利である。また、ワイヤ端部の巻きつけが緩んだりすることがなく、重量のある天井部材であっても、簡便に吊り下げ固定させて、長期の安定的な吊り下げ保持が可能となる。この発明は特に、吊り下げや巻き付けのための穴を用いないで、ワイヤを吊り金具に締着するので、専用の吊り下げ器具を用いず市販のワイヤを使用でき、施工が簡単で且つ材料費も安価なので、急なリフォーム工事にも対応することができる天井部材等の吊り下げ固定方法及び装置を創出するものである。
【００１３】
【実施例】
図１に、この発明の天井部材の固定装置を示す。クランプ部材１は互いに重ね合わせた２枚の天井部材支持用縦長板体２、３と１枚のワイヤ位置決め及び固定用短板体４と、ワイヤセッテング用ネジ５、ワイヤ端末処理用ネジ６とからなる。図２は上記クランプ金具の各部材を展開したものを示す。
【００１４】
ワイヤ７はその一端部が、Ｌ字状の天井スラブ側金具８の一面に、この実施例では金具の絞り加工円筒部分９への挿入後圧着加工によって固定されている。ワイヤ７の金具８への取付け固定方法には、この他に図３に示す圧着端子ビス留め、図４に示すビスへの屈曲圧板止め、図５に示す金具側面に折り曲げ形成された円筒部１０への挿入後カシメ手段により圧着固定する等の施工方法があり、いずれも後でワイヤ７の他端部に天井部材を吊り下げた時にそれらの重量によって変形しないようにワイヤの一端部を天井スラブに対して固定する。さらに他の変形例として、Ｌ字形金具の代わりに、図６に示すように角柱表面に戻り止め突起を多数設け、又は図７に示すように表面にネジ山を刻設した棒体、または図８に示すように、角柱の隅角にネジ山を形成したものを、天井スラブに直接打ち込み又はねじ込み固定される植込みボルト部１１に、ワイヤ７の一端部を圧着加工、ビス留め、屈曲圧板留め等により固定させる方法もある。
【００１５】
クランプ部材１は、縦長板体３と短板体４との間にワイヤ７を挟み位置決め固定し、ワイヤセッテング用ネジ５、ワイヤ端末処理用ネジ６によって縦長板体２、３と短板体４とワイヤ７の他端部とを緊締する。図１及び図２に示すように、２枚の天井部材支持用縦長板体２、３の両方の下端部には、互いに内側に向く溝部１２、１３が設けられ、前記天井部材のメインバー（Ｔバー）１６の上側縁部１７を把持する。
【００１６】
クランプ部材１の一実施例として、縦長板体３と短板体４との間に側方からワイヤ７の他端部より少し上側を挟み、前記板体の下側に設けたワイヤセッテング用ネジの胴部及び短板体の下端縁部によってワイヤを屈曲させその他端部を２枚の板体の側方反対側に持ち上げＵ字状に形成する。そして最終的にワイヤ屈曲部がワイヤセッテング用ネジ５及び短板体４の下縁部１４に当接され、その他端部がワイヤ端末処理用ネジ６に当接された後、両方のネジ５、６を締めてワイヤ７をクランプ部材１の縦長板体３と短板体４との間に挟み込み固定する。
【００１７】
天井部材１５のタイバー１６は吊り下げ作業の際に、予めその高さ位置が定められており、従って天井スラブから金具８又はボルト１１を介し吊り下げられるワイヤ７が最も短くなる、換言すれば垂直に最も近くなる位置に天井部材１５のクランプ部材１を移動させ、その後ワイヤ７の他端部を前述した手順でクランプ部材１に挟み、屈曲させた後クランプ部材１のネジ５、６を締めて手を最終的にクランプ部材１、ワイヤ７及び天井部材１５を互いに固定する。
【００１８】
ワイヤ７としては２〜２．６ｍｍ径の軟鋼針金を用いる。前述した作業手順で作業者が天井スラブから吊り下げられたワイヤ７をクランプ部材１の固定用短板体４の下端縁部１４に引掛け、クランプ部材の高さ位置決めを行った後、ワイヤ７を緊張させたまま屈曲させ、ネジ５、６によって緊締するので、天井部材の高さ位置は調節した位置に維持され、その後の高さ位置調整は必要ない。上記の作業をより容易且つ確実なものとするために、図９乃至図１２に示すように、クランプ部材１のワイヤセッテング用ネジ５、ワイヤ端末処理用ネジ６を横向きに並べたもの、ワイヤ端末処理用ネジ６をより低い位置に置くようクランプ部材１を変形させたもの、ワイヤセッテング用ネジ５を押しネジ形式にしたもの等がある。
【００１９】
さらに厳密な高さ位置の微調整を必要とする場合には、例えば図１３に示すように、クランプ部材１と天井部材１５との間に微調整ネジ、ターンバックル等を設けても良い。図示のように、ワイヤ７は天井部材１５に対して斜め方向から複数本で支持することもできる。
【００２０】
また、この発明の他の実施例を図１４に示す。この実施例では、クランプ部材１の下部は上側のネジによる緊締と関係無くバネ状に開閉できるようになっており、クランプ部材を囲む巻帯１８を下側に降ろした時に天井部材のメインバーと係合することができる。この構成はワイヤによって天井部材を吊り下げた後に、この係合を一時外したい場合等に便利である。
【００２１】
図１５及び図１６に、天井部材１５のメインバー１６が交差する部分を、クロスバー１９で支持する場合の実施例を示す。２枚のクロスバー１９、１９の中央部をネジ２０により固着して、前記メインバー１６が交差する部分の上に載せ、夫々のクロスバー１９の端部に設けたクランプ部材によってメインバー１６を吊持する。さらにクロスバー１９の中央部にコンプレッションレバー２１を取付ける、このレバー２１と天井スラブとの間には、既知のコンプレッションボルト２２を取付け、ナット２３によってシーリンググリップ２４との間の高低調節及び固定を行う。
【００２２】
図１７に、この発明によるワイヤを用いた天井部材のレベル設定方法を示す。第１に基本墨出しを行い天井スラブ適所に天井スラブ側金具８またはシーリンググリップ２４を取付け、ワイヤ７を吊り下げメインバー１６の左端を吊持し、レベルポインター２５から発光するレーザーのレベル線６によって、所定高さの位置にクランプ部材１及び天井部材のメインバー１６を固定する。次にメインバー１６の右端位置のシーリンググリップ２４ａを天井スラブに固定した後ワイヤ７ａでメインバー１６の右端を持ち上げ、レベル調節を行ってクランプ部材１ａを所定高さに吊り下げ固定する。この場合ワイヤ７ａの先端はＵ字状に折り曲げて天井部材１ａを仮置きした後、レベル調節し、最終的にワイヤ７ａと天井部材１ａの連結固定をすることができるので、作業上便利である。
【００２３】
このようにして左右の天井部材１及び１ａのレベル調節及び固定が済んだ後、その中間の天井部材１ｂを、シーリンググリップ２４ｂおよびワイヤ７ｂによって順次吊り下げ固定して行けば、システム天井の天井部材の取付け施工が迅速且つ正確に行える。なお、最初の天井部材１のレベルを建造物側壁の、所定高さに設けられた水平バーによって決めることができれば、全体の施工は更に簡単になる。なおこの発明の各実施例と比較するために、ワイヤの下端の折り曲げ部を天井グリッドに設けた穴に挿通することによって天井部材を吊り下げる装置を、図１８に示す。この従来例では天井スラブ側金具とワイヤ上側との間、及びワイヤ下側と天井部材のメインバーとの間に遊びがあり、メインバーの正確なレベルが確保されない欠点があることが明瞭である。
【図面の簡単な説明】
【図１】この発明の天井部材の固定装置を示す見取り図である。
【図２】図１のクランプ部材の構成要素を展開して示す。
【図３】天井スラブ側金具へのワイヤの固定を圧着端子ビス留めとした実施例
【図４】上記ワイヤの固定をビスへの屈曲圧板止めとした実施例、
【図５】上記ワイヤの固定を、金具側面に溶接形成された円筒部への挿入後圧着加工した実施例を示す。
【図６】天井スラブに直接打ち込み固定される植込みボルト部に、ワイヤの一端部を圧着加工により固定させた実施例を示す。
【図７】上記ワイヤの一端部をビス留めにより固定させた実施例、
【図８】上記ワイヤの一端部を屈曲圧板留めにより固定させた実施例を示す。
【図９】クランプ部材のワイヤセッテング用ネジ５、ワイヤ端末処理用ネジ６を横向きに並べた実施例を示す。
【図１０】ワイヤ端末処理用ネジをより低い位置に置くようクランプ部材を変形させた実施例を示す。
【図１１】ワイヤセッテング用ネジを押しネジ形式にした実施例を示す。
【図１２】ワイヤセッテング用ネジを押しネジ形式にした他の実施例を示す。
【図１３】クランプ部材と天井部材との間に微調整ネジを設けた実施例を示す。
【図１４】クランプ部材の下部をバネ状に開閉できるようにした実施例を示す。
【図１５】天井部材のメインバーが交差する部分を、クロスバーで支持する場合の実施例を示す。
【図１６】図１５に示すクロスバーにコンプレッションレバーを取付けた実施例を示す。
【図１７】この発明によるワイヤを用いた天井部材のレベル設定方法を示す概念図である。
【図１８】従来の、ワイヤの下端の折り曲げ部を天井部材に設けた穴に挿通することによって天井部材を吊り下げる装置を示す。
【符号の説明】
１　クランプ部材
２、３　縦長板体
４　短板体
５　ワイヤセッテング用ネジ
６　ワイヤ端末処理用ネジ
７　ワイヤ
８　天井スラブ側金具
９　加工円筒部分
１０　円筒部
１１　植込みボルト部
１２、１３　溝部
１４　下縁部
１５　天井部材
１６　メインバー
１７　上側縁部
１８　巻帯
１９　クロスバー
２０　ネジ
２１　コンプレッションレバー
２２　コンプレッションボルト
２３　ナット
２４　シーリンググリップ
２５　レベルポインター
２６　レベル線
【図１】
2004143798.tif 000003
【図２】
2004143798.tif 000004
【図３】
2004143798.tif 000005
【図４】
2004143798.tif 000006
【図５】
2004143798.tif 000007
【図６】
2004143798.tif 000008
【図７】
2004143798.tif 000009
【図８】
2004143798.tif 000010
【図９】
2004143798.tif 000011
【図１０】
2004143798.tif 000012
【図１１】
2004143798.tif 000013
【図１２】
2004143798.tif 000014
【図１３】
2004143798.tif 000015
【図１４】
2004143798.tif 000016
【図１５】
2004143798.tif 000017
【図１６】
2004143798.tif 000018
【図１７】
2004143798.tif 000019
【図１８】
2004143798.tif 000020